(57)【要約】【課題】前面パネル、天面パネル及びフィルタの清掃を、極めて簡単に行うことができる壁掛け型空気調和機を提供する。【解決手段】熱交換器及び送風機を収納した本体ケースに対し、前面パネル３及び天面パネル５が一体に連結された状態で着脱自在に取り付けられ、前面パネル３と天面パネル５とは互いに分離可能に連結され、前記前面パネル３及び天面パネル５にはそれぞれ互いに連結するブラケット２１、２７を設け、一方のブラケット２１に断面が長円形の回動軸２５を設け、他方のブラケット２７に前記回動軸２５を枢着する軸受け２６を設け、この軸受け２６には前記回動軸２５の短径より大きく長径より小さい隙間Ｗを有する切欠き３０を設け、この切欠き３０を通して前面パネル３及び天面パネル５の分離を可能とする。【選択図】      図７
2004205117.tif 000002
【特許請求の範囲】
【請求項１】
熱交換器及び送風機を収納した本体ケースに対し、前面パネル及び天面パネルが一体に連結された状態で着脱自在に取り付けられ、前面パネルと天面パネルとは互いに分離可能に連結されていることを特徴とする壁掛け型空気調和機。
【請求項２】
前記前面パネル及び天面パネルにはそれぞれ互いに連結するブラケットを設け、一方のブラケットに断面が長円形の回動軸を設け、他方のブラケットに前記回動軸を枢着する軸受けを設け、この軸受けには前記回動軸の短径より大きく長径より小さい隙間を有する切欠きを設け、この切欠きを通して前面パネル及び天面パネルが分離可能とすることを特徴とする請求項１に記載の壁掛け型空気調和機。
【請求項３】
前記前面パネル及び前記天面パネルは折り畳み自在に構成され、これらを折り畳んだ位置で分離可能とすることを特徴とする請求項２に記載の壁掛け型空気調和機。
【発明の詳細な説明】
【０００１】
【発明の属する技術分野】
本発明は壁掛け型空気調和機に取り付けられるパネルの構造に関する。
【０００２】
【従来の技術】
一般に、熱交換器及び送風機を収納した空気調和機の本体ケースに対し、それぞれ吸込み格子を有した前面パネルと天面パネルとを設け、その内側にフィルタを設けた壁掛け型空気調和機が知られている。
【０００３】
この種の壁掛け型空気調和機では、近年、前面パネル及びフィルタを簡易に清掃できることが要求されており、そのため、前面パネルと天面パネルの内側に延在するフィルタを、一枚のフィルタで構成し、前面パネルを開いた状態で、当該一枚のフィルタを前面側に引き出して清掃できるように構成するのが一般的である。さらに、前面パネルは取り外し自在に構成されており、取り外した状態で、その清掃が可能に構成されている（例えば、特許文献１参照。）。
【０００４】
【特許文献１】
特開平１０ー２７４４２３号公報
【０００５】
【発明が解決しようとする課題】
しかしながら、従来の構成では、前面パネル及びフィルタの清掃は可能であるが、天面パネルの清掃は困難であるという問題があった。
【０００６】
そこで、本発明の目的は、上述した従来の技術が有する課題を解消し、前面パネル、天面パネル及びフィルタの清掃を、極めて簡単に行うことができる壁掛け型空気調和機を提供することにある。
【０００７】
【課題を解決するための手段】
上記目的を達成するために、請求項１記載の発明は、熱交換器及び送風機を収納した本体ケースに対し、前面パネル及び天面パネルが一体に連結された状態で着脱自在に取り付けられ、前面パネルと天面パネルとは互いに分離可能に連結されていることを特徴とする。
【０００８】
請求項２に記載の発明は、請求項１に記載の壁掛け型空気調和機において、前記前面パネル及び天面パネルにはそれぞれ互いに連結するブラケットを設け、一方のブラケットに断面が長円形の回動軸を設け、他方のブラケットに前記回動軸を枢着する軸受けを設け、この軸受けには前記回動軸の短径より大きく長径より小さい隙間を有する切欠きを設け、この切欠きを通して前面パネル及び天面パネルの分離を可能とすることを特徴とする。
【０００９】
請求項３に記載の発明は、請求項２に記載の壁掛け型空気調和機において、前記前面パネル及び前記天面パネルは折り畳み自在に構成され、これらを折り畳んだ位置で分離を可能とすることを特徴とする。
【００１０】
【発明の実施の形態】
以下、本発明の一実施形態を添付した図面を参照して説明する。
【００１１】
図１は本発明の一実施形態における空気調和機の室内機の側断面図、図２は  図１の斜視図である。空気調和機１０は、本体ケース１と、この本体ケース１に取り付けられる前面パネル３及び天面パネル５とを備えている。前面パネル３には前面吸気口４を有し、天面パネル５には上面吸気口６を有している。
【００１２】
前記本体ケース１は、合成樹脂を材料として横長に形成され、本体ケース１内の略中心位置には長手方向に延設されたクロスフローファン（送風機）９が設けられ、このクロスフローファン９と前面吸気口４及び上面吸気口６との間に熱交換器７が配設されている。
【００１３】
この熱交換器７は、３つのブロックからなり、クロスフローファン９を包むように概略「く」字状及び「Λ」字状に形成されて、空気調和機を小型化しても熱交換効率が低下しないようになっている。
【００１４】
熱交換器７の下端部には、当該熱交換器７で結露して滴下する水を受け止めるドレンパン１１が設けられ、このドレンパン１１は本体ケース１に固定されている。
【００１５】
本体ケース１の下端部には空気調和された空気を室内に吹き出すための吹出口１２が形成され、この吹出口１２には吹き出す空気の方向を設定するための風向調節器１３が設けられている。
【００１６】
図３は前面パネル及び天面パネルを外した状態を示す斜視図、図４は前面パネル及び天面パネルを前方から見た斜視図、図５は前面パネル及び天面パネルを裏側から見た斜視図である。
【００１７】
前記前面パネル３は略中央に幅方向に延びる吸込み格子３１が形成され、この吸込み格子３１の裏側には、前面部フィルタ３３が取り付けられている。この前面部フィルタ３３は、前面パネル３の裏面の係止部３５に、着脱自在に係止されている。
【００１８】
また、前記天面パネル５はそれ自体フィルタを構成している。すなわち、天面パネル５は、図５に示すように、複数の補強用の縦桟４１と、複数の補強用の横桟４３とを有するフィルタ枠４５に、網状のフィルタ素材４７を一体化させて構成されている。
【００１９】
また、前面パネル３と天面パネル５とが一体に連結され、この一体の状態で本体ケース１に対して着脱自在に取り付けられている。これら前面パネル３及び天面パネル５は、本体ケース１に重ね合わされる。この場合、前面パネル３を両手でつかみ、天面パネル５が本体ケース１の天面部１７Ｃに乗る位置まで前面パネル３を運び、そこから前面パネル３を本体ケース１側に押し込む。すると、前面パネル３の裏側に形成された一対の凸部３Ａが、本体ケース１の係止部１７Ｄに係止され、その後、前面パネル３の下縁部に設けられたかん抜き機構（図示せず）をスライドさせることで、本体ケース１の上に前面パネル３と天面パネル５とが重ね合わされ、図２に示すように壁掛け型空気調和機１０が構成される。
【００２０】
次に、前面パネル３と天面パネル５との連結について、図５〜図７を参照して説明する。図６は前面パネルと天面パネルの連結状態を示す断面図、図７は連結部分の拡大図である。
【００２１】
前記前面パネル３の裏面上部には、４つのブラケット２１、２１・・が突設され、各ブラケット２１には、回動軸２５とボス２３とが設けられ、これらボス２３及び回動軸２５を介して、天面パネル５の前部に設けられたブラケット２７が連結される。
【００２２】
前記前面パネル３のボス２３及び回動軸２５は、各ブラケット２１の上下の位置に配置され、ボス２３は断面が円形をして高さ約０．５ｍｍに形成され、回動軸２５は断面が長円形をして高さ約１０ｍｍに形成されている。
【００２３】
一方、天面パネル５のブラケット２７には係合孔２４と軸受け２６とが設けられており、軸受け２６は前記回動軸２５を枢着するとともに、切欠き３０を有してＣ字状に形成され、この切欠き３０の隙間幅Ｗは、回動軸２５の短径より大きく、かつ、長径より小さく形成されている。また、係合孔２４は、円弧状の長円形をしており、前記ボス２３を係合し、ボス２３が係合孔２４内を摺動可能になっている。
【００２４】
これにより天面パネル５は、前面パネル３に対して回動軸２５を中心にして回動自在に連結され、かつ、前面パネル３に対して数度の角度範囲内で回動するように規制されている。
【００２５】
次に前面パネルと天面パネルの連結解除及び分離について、図８、図９を参照して説明する。図８は前面パネル及び天面パネルの連結部分を外した状態を示す断面図、図９は連結部分を示す拡大断面図である。
【００２６】
前記軸受け２６の隙間幅Ｗ（図７参照）は、回動軸２５の短径より大きく形成されているので、この隙間に回動軸２５の短径が向い合うようにすると、回動軸２５を軸受け２６から外すことができる。また、前記係合孔２４とボス２３との係合状態は、ボスの高さが低いためわずかな外力で解除されるようになっている。
【００２７】
このような構成において、図６の状態から天面パネルの後部を下方に押し下げることにより、前記係合孔２４とボス２３の係合状態が解除され、前面パネル３と天面パネル５とが折り畳めるようになっている。これら前面パネル３と天面パネル５は、天面パネル５の後部の端が前面パネル３の裏側に当接するまで畳むことができる。そして、当接するまで畳んだ場合、回動軸２５の短径と軸受け２６の切欠き３０とが向い合うようになっており、天面パネル５を前面パネル３から離す方向に引くことにより、天面パネル５を前面パネル３から分離することができる。
【００２８】
以上説明したように、前面パネル３と天面パネル５とは本体ケース１に対して着脱自在に取り付けられているので、清掃時には、本体ケース１から取り外した後、折り畳んだ状態で、清掃場所、例えば浴室等に簡単に運ぶことができる。
【００２９】
また、前面パネル３と天面パネル５とは所定の角度にすると、容易に分離できるので、分離した後それぞれのパネル３、５の清掃を簡単に行うことができる。なお、所定の角度以外では前面パネル３と天面パネル５とは連結されているので、本体ケース１への着脱時において支障をきたすことはない。
【００３０】
以上、一実施形態に基づいて、本発明を説明したが、本発明はこれに限定されるものでないことは明らかである。
【００３１】
【発明の効果】
本発明では、前面パネル及び天面パネルが分離可能に連結され、かつ、フィルタが前面パネルに着脱自在に取り付けられているので、前面パネル、天面パネル及びフィルタの清掃を、極めて簡単に行うことができる。
【図面の簡単な説明】
【図１】本発明による壁掛け型空気調和機の一実施形態を示す断面図である。
【図２】同じく斜視図である。
【図３】前面パネル及び天面パネルを外した状態を示す斜視図である。
【図４】前面パネル及び天面パネルを前方から見た斜視図である。
【図５】前面パネル及び天面パネルを裏側から見た斜視図である。
【図６】前面パネルと天面パネルの連結状態を示す断面図である。
【図７】図６の連結部分を示す拡大断面図である。
【図８】前面パネル及び天面パネルの連結部分を外した状態を示す断面図である。
【図９】図８の連結部分を示す拡大断面図である。
【符号の説明】
１  本体ケース
３  前面パネル
５  天面パネル
１０  空気調和機
２１  前面パネルのブラケット
２３  ボス
２４  係合孔
２５  回動軸
２６  軸受け
２７  天面パネルのブラケット
３０  切欠き
Ｗ  切欠きの隙間幅
【図１】
2004205117.tif 000003
【図２】
2004205117.tif 000004
【図３】
2004205117.tif 000005
【図４】
2004205117.tif 000006
【図５】
2004205117.tif 000007
【図６】
2004205117.tif 000008
【図７】
2004205117.tif 000009
【図８】
2004205117.tif 000010
【図９】
2004205117.tif 000011